(57)【要約】【課題】この発明は買い物後の重たいビニール袋等の手荷物を携行する場合に、手や指を痛めることなく、持ち手兼用フックを利用して楽に携行したり、ショルダーベルトの無い硬い持ちのカバン等の手荷物でも簡単に携行することが出来るようにした、手荷物携行用ストラップベルトの発明である。【解決手段】錨の形状をした持ち手兼用フックをストラップベルトの両端に装着し、持ち手兼用フックが軽く握れる長さに調節して首から腕に沿って垂らす。ビニール袋等の持ち手が柔らかい手荷物は持ち手兼用フックを手荷物の持ち手部分の内側に差し込み、両サイドの窪んだ部分に引っ掛けて吊り下げて携行する。カバン等硬い持ち手の荷物の場合はその内側に持ち手兼用フック通し、Ｕ字状に固定して直接ストラップベルトで携行することが出来る。【選択図】  図１
2007000587.tif 000002
【特許請求の範囲】
【請求項１】
ビニール等の持ち手部のやわらかい袋状の手提げ荷物を吊り下げて携行する為の持ち手兼用フック。
【請求項２】
請求項１に記載されたフックと、このフックを留めることが出来るフック留めを両端につけ、体に合わせて長さの調整が出来る手荷物携行用ストラップベルト。
【請求項３】
持ち手部分の硬いバッグ等でも持ち手部分を傷めることなく、持ち手兼用フックを利用して請求項２記載のストラップベルトを用いて手荷物を携行する方法。
【発明の詳細な説明】
【技術分野】
【０００１】本発明はスーパー等で買い物をした場合にサービスで提供されるビニール袋や旅行先での土産用のビニール袋等のやわらかい持ち手の携行品や、バッグ等の硬い持ち手の荷物でもどちらの場合にも使うことが出来る携帯用手荷物携行用のストラップベルトに関するものである。
【背景技術】
【０００２】従来、買い物後の重い手荷物や、容量のかさばる手荷物を携行する時はそのまま持つか、持ち手部分にハンカチをあてるか、既成のプラスチック製取っ手を付ける等で、直接手に吊り下げて移動する場合がほとんどで、手軽に指先や手、腕にかかる負担を軽減してくれる有効な手荷物の携行手段が無い。
【発明の開示】
【発明が解決しようとする課題】
【０００３】このため、次のような問題点があった。
（イ）手、指、ひじ等、身体の一部に負担が集中する。
（ロ）このため時間が経つにつれ、荷物を持っていることが苦痛になってくる。
（ハ）交通機関等を利用する場合、切符の購入や提示物の出し入れ時、荷物の持ち方に困る。
（ニ）階段の利用時に手が塞がっていて、手すりを利用出来ず恐怖を感じる時がある。
（ホ）雨具の使用と荷物を持つ場合を同時に行なう際に不便を感じる。
（ヘ）小さい子供をつれているときに、注意が薄れ危険を感じることがある。
（ト）持ち帰る時や距離を考え、必要な度合いと買い物の量や重さなどを考慮しなくてはならず欲しい物を買えない時がある。
（チ）杖等の歩行補助具の使用が制限されてくる。
（リ）通勤帰りの買い物は特に疲労感が大きく持ち帰るのが面倒である。
このように、移動に要する距離や時間の間、手荷物から手を離すことが出来ないのが実情であり、不便を感じると同時にいろいろな危険要素を含んでいる。
本発明は、これらの買い物後の行動が非常に制約されている現状の問題点を解決するためのものである。
【課題を解決するための手段】
【０００４】上記の問題を解決するため、今までのフックの形（？の様な形）という概念にとらわれず、錨を変形させたような形で左右に掛ける部分があり、柔らかい持ち手の手荷物を容易に吊り下げることが出来る請求項１記載の持ち手兼用フック３（図２）を製作し、長さ調節部６を付けた主ストラップ１と副ストラップ２を金具５で一本になったストラップベルトの両端に装着し、請求項３記載の硬い持ち手の携行手荷物を携行できる様にするため、持ち手兼用フック３を折り返して留めることが出来る位置に折り返し留め４を縫い付けた請求項２の手荷物携行補助ストラップベルトを作成する。そしてこのストラップベルトを首に掛けて肩から両方の腕に沿って垂らしその先端部で手荷物を携行する。
【発明の効果】
【０００５】本発明を使用することにより、買い物後の重い手荷物を直接、指や手で吊り下げることなく、持ち手兼用フックに掛けて吊り下げて携行することにより手、指等に集中していた負担が首、肩に掛けたストラップベルト全体で負担することにより、局部に集中していた苦痛や疲労が解放される。
また本発明は、硬い持ち手の手荷物と柔らかい持ち手の手荷物を左右同時に吊り下げることが出来る。逆に一個の荷物でも吊り下げることが出来る。
その結果、手荷物携行時でも身体全体の動きがスムースになり各種の課題が解消され、肉体的、精神的に余裕を持った行動が出来るため手荷物携行時の安全性が向上される。このことは本人のみならず周りにいる人へ及ぼす危険も減少するという相乗効果を生み出すことになるのである。
【発明を実施するための最良の形態】
【０００６】まず請求項順に本発明の構成について述べる。
（イ）  錨型をした持ち手兼用フック３は２枚重ねても軽く握れる程度の厚さの成型体とし、ストラップベルトに装着するための穴を空けておく。
両端はビニール袋の持ち手部分を吊り下げてもずれないように、図２のように上に向けて窪みをつくる。
（ロ）  ストラップベルトは硬いもち手の手荷物を携行する時に長さを調節する場合、持ち手兼用フックを折り返して使用しても、硬いもち手の部分を吊り下げる為の折り返し部の長さが変化しないようにわざと、主ストラップ１と副ストラップ２に分割し金具５で連結する。そして両端に持ち手兼用フック３を装着する。
（ハ）  折り返し留め４は、折り返した持ち手兼用フック３を斜めにして入れ、荷物の自重でしっかり固定が出来る強度と長さのリング状とする。
ただし主ストラップ１の主折り返し長さ７と副ストラップ２の副折り返し長さ８は、携行荷物が一個のときストラップベルトを折り返し、持ち手兼用フック３を重ねて使用する為、折り返し留め４が同じ位置で重ならないように折り返し留め４の幅の分だけずらして装着する。
次に本発明の使用方法について述べる
（１）  ビニール袋等の持ち手が柔らかい荷物を２つ携行する場合
本ストラップベルトを首に掛けてぶら下げ、ビニール袋等の持ち手の部分を輪状にして、左右の持ち手兼用フック３に図３のように吊り下げ、バランスをとる程度に軽く手で押さえて荷物を携行する。
（２）  ビニール袋等の持ち手が柔らかい荷物を１つ携行する場合
一方の持ち手兼用フック３を折り返し留め４を通して同じ向きにして重ねて折り返して出来たリング部分を肩から吊り下げ、重なった持ち手兼用フック３に吊り下げて荷物を携行する。
（３）  カバンの様な持ち手の硬い物を携行する場合
この場合は持ち手兼用フック３を図４のようにして硬いもち手の内側を通し、折り返し留め４に掛け、ストラップベルトに直接吊り下げて使用する。荷物が一つの場合は上記（２）のようにして使用する。
この様に、このストラップの最大の特徴は、左右に柔らかい持ち手の荷物と持ち手の硬い荷物を同時に携行できることである。
【図面の簡単な説明】
【０００７】
【図１】本発明の全体斜視図
【図２】請求項１の正面図
【図３】請求項１の使用方法を示す図
【図４】硬い持ち手の場合の使用方法を示す図
【符号の説明】
【０００８】１  主ストラップ
２  副ストラップ
３  持ち手兼用フック
４  折り返し留
５  継ぎ部
６  長さ調節部
７  主折り返し長さ
８  副折り返し長さ
【図１】
2007000587.tif 000003
【図２】
2007000587.tif 000004
【図３】
2007000587.tif 000005
【図４】
2007000587.tif 000006